(57)【要約】【課題】プロジェクタ装置を用いて複数のクライアント端末が投影する順番通りにスムーズに投影権の切り替えができる仕組みを提供する。【解決手段】クライアント端末が複数の投影画像を順番に受信する場合に、予めプロジェクタに複数のクライアントの投影権が移る順番をシナリオとして読み込ませておく手段と、現時点で投影権を取得しているクライアントから次のクライアントに投影権が移るタイミングでプロジェクタが予め次のクライアントに投影データを要求しに行く手段と、現投影者が次に投影するクライアントを設定出来、設定されるとプロジェクタがそのクライアントに投影データを要求しに行く手段と、前記投影画像の投影権を示す情報を含む前記投影画像を前記クライアント端末より受信する手段と、受信した前記投影画像の投影権を示す情報を含む前記投影画像を記憶する手段を備える。【選択図】図１
2013137478.tif 000002
【特許請求の範囲】
【請求項１】
投影画像を投影装置に送信するクライアント端末と接続可能な投影装置において、
前記クライアント端末より送信されるプレゼンテーションのシナリオを記憶するシナリオ記憶手段と、
前記投影画像を前記クライアント端末より受信する投影画像受信手段と、
前記投影画像受信手段で受信した前記投影画像を表示する画像投影手段と、
前記画像投影手段で投影している前記投影画像のシナリオ内での順序を記憶する投影順序記憶手段と、
前記シナリオ記憶手段で記憶している前記シナリオに基づいて、前記投影画像記憶手段で記憶している前記投影中の画像の次に投影する画像を取得するべく、前記クライアント端末に対して画像を要求する画像要求手段と、
前記投影画像受信手段で、前記画像要求手段で要求した前記画像を受信した場合に、当該要求の結果受信した画像を記憶部に記憶する投影画像記憶手段と、
前記クライアント端末より次の投影画像を投影するための指示を受信する投影指示受信手段とを備え、
前記画像投影手段は、前記投影指示受信手段で指示を受けた前記投影画像記憶手段で記憶している前記投影画像を投影することを特徴とする投影装置。
【請求項２】
前記シナリオ記憶手段で記憶した前記プレゼンテーションのシナリオを解析するシナリオ解析手段を更に備えることを特徴とする請求項１に記載の投影装置。
【請求項３】
前記シナリオ記憶手段は、前記シナリオ解析手段で解析した結果得られる、前記プレゼンテーションの投影画像の順序と、当該投影画像を保持しているクライアント端末の識別情報とを紐付けて記憶し、
前記画像要求手段は、前記シナリオ解析手段で解析した結果得られる投影画像の順序と、当該投影画像を保持しているクライアント端末に対して画像を要求することを特徴とする請求項２に記載の投影装置。
【請求項４】
投影画像を投影装置に送信するクライアント端末と投影装置とを含む投影システムであって、
前記投影装置は、
前記クライアント端末より送信されるプレゼンテーションのシナリオを記憶するシナリオ記憶手段と、
前記投影画像を前記クライアント端末より受信する投影画像受信手段と、
前記投影画像受信手段で受信した前記投影画像を表示する画像投影手段と、
前記画像投影手段で投影している前記投影画像のシナリオ内での順序を記憶する投影順序記憶手段と、
前記シナリオ記憶手段で記憶している前記シナリオに基づいて、前記投影画像記憶手段で記憶している前記投影中の画像の次に投影する画像を取得するべく、前記クライアント端末に対して画像を要求する画像要求手段と、
前記投影画像受信手段で、前記画像要求手段で要求した前記画像を受信した場合に、当該要求の結果受信した画像を記憶部に記憶する投影画像記憶手段と、
前記クライアント端末より次の投影画像を投影するための指示を受信する投影指示受信手段とを備え、
前記画像投影手段は、前記投影指示受信手段で指示を受けた前記投影画像記憶手段で記憶している前記投影画像を投影し、
前記クライアント端末は、
前記投影装置に端末識別情報を送信する端末識別情報送信手段と、
前記プレゼンテーションのシナリオを送信するシナリオ送信手段と、
前記画像要求手段で自端末の前記端末識別情報を含む要求を受信した場合に、当該要求に応じて投影画像を前記投影装置に対して送信する投影画像送信手段と、
を備えることを特徴とする投影システム。
【請求項５】
投影画像を投影装置に送信するクライアント端末と接続可能であって、前記クライアント端末より送信されるプレゼンテーションのシナリオを記憶するシナリオ記憶手段と、投影している前記投影画像のシナリオ内での順序を記憶する投影順序記憶手段と、前記クライアント端末より送信される画像を記憶部に記憶する投影画像記憶手段とを備える投影装置の制御方法であって、
前記投影装置の投影画像受信手段が、前記投影画像を前記クライアント端末より受信する投影画像受信ステップと、
前記投影装置の画像投影手段が、前記投影画像受信ステップで受信した前記投影画像を表示する画像投影ステップと、
前記投影装置の画像要求手段が、前記シナリオ記憶手段で記憶している前記シナリオに基づいて、前記投影画像記憶手段で記憶している前記投影中の画像の次に投影する画像を取得するべく、前記クライアント端末に対して画像を要求する画像要求ステップと、
前記投影装置の投影指示受信手段が、前記クライアント端末より次の投影画像を投影するための指示を受信する投影指示受信ステップとを含み、
前記画像投影ステップは、前記投影指示受信ステップで指示を受けた前記投影画像記憶手段で記憶している前記投影画像を投影することを特徴とする投影装置の制御方法。
【請求項６】
投影画像を投影装置に送信するクライアント端末と接続可能であって、前記クライアント端末より送信されるプレゼンテーションのシナリオを記憶するシナリオ記憶手段と、投影している前記投影画像のシナリオ内での順序を記憶する投影順序記憶手段と、前記クライアント端末より送信される画像を記憶部に記憶する投影画像記憶手段とを備える投影装置を制御するプログラムであって、
前記投影装置を、
前記投影画像を前記クライアント端末より受信する投影画像受信手段と、
前記投影画像受信手段で受信した前記投影画像を表示する画像投影手段と、
前記シナリオ記憶手段で記憶している前記シナリオに基づいて、前記投影画像記憶手段で記憶している前記投影中の画像の次に投影する画像を取得するべく、前記クライアント端末に対して画像を要求する画像要求手段と、
前記クライアント端末より次の投影画像を投影するための指示を受信する投影指示受信手段として機能させ、
前記画像投影手段は、前記投影指示受信手段で指示を受けた前記投影画像記憶手段で記憶している前記投影画像を投影させることを特徴とするコンピュータで読取実行可能なプログラム。
【発明の詳細な説明】
【技術分野】
【０００１】
本発明はプロジェクタの画像投影に関して複数の端末から送信された画像を順番に表示するための制御に関する。
【背景技術】
【０００２】
近年、無線通信が発達したことにより、これまで有線接続であったプロジェクタ装置と画像をプロジェクタに送信するクライアント端末との接続が無線接続になりつつある。
【０００３】
一つの例として、無線ＬＡＮアダプタがクライアント端末（ＰＣ）に接続されたときに、通信可能な全ての無線チャンネルをスキャンして、それぞれの無線チャンネルに属するＳＳＩＤと受信電波の強度とを含むＳＳＩＤリストを作成し、ＳＳＩＤリストに基づいてプロジェクタ識別子を有する無線プロジェクタを検索する技術が開示されている（例えば、特許文献１）。
【先行技術文献】
【特許文献】
【０００４】
【特許文献１】特開２０１１−１２４７５５号公報
【発明の概要】
【発明が解決しようとする課題】
【０００５】
特許文献１に開示されている技術では、１台のクライアント端末が複数台のプロジェクタを認識し、所望するプロジェクタに無線ＬＡＮにて接続することを想定しているが、１台のプロジェクタに対し、同時に複数の端末が無線接続し、複数の端末から同時に投影画像を受信、投影することは想定していない。
【０００６】
プロジェクタ装置は、会議の場において複数人の間で利用されることから、１台のプロジェクタに対して代わる代わる各ユーザのクライアント端末を接続している運用が殆どである。生産性が重視されるビジネスシーンにおいては、会議でいちいちプロジェクタの接続端末を切り替える時間も惜しく、プロジェクタ装置とクライアント端末のスムーズな接続切替方法が望まれる。また、同時に複数の端末が無線接続し、複数の端末から同時に投影画像を受信、投影することができれば、より画像の比較がしやすくなり、また複数の端末の画像を並行して表示することでこれまでよりも生産能率の上がるプロジェクタの使用方法が想定される。
【０００７】
そこで本発明は、プロジェクタ装置を用いて複数のクライアント端末が投影する順番通りにスムーズに投影権の切り替えができる仕組みを提供することを目的としている。
【課題を解決するための手段】
【０００８】
即ち本発明は、投影画像を投影装置に送信するクライアント端末と接続可能な投影装置において、前記クライアント端末より送信されるプレゼンテーションのシナリオを記憶するシナリオ記憶手段と、前記投影画像を前記クライアント端末より受信する投影画像受信手段と、前記投影画像受信手段で受信した前記投影画像を表示する画像投影手段と、前記画像投影手段で投影している前記投影画像のシナリオ内での順序を記憶する投影順序記憶手段と、前記シナリオ記憶手段で記憶している前記シナリオに基づいて、前記投影画像記憶手段で記憶している前記投影中の画像の次に投影する画像を取得するべく、前記クライアント端末に対して画像を要求する画像要求手段と、前記投影画像受信手段で、前記画像要求手段で要求した前記画像を受信した場合に、当該要求の結果受信した画像を記憶部に記憶する投影画像記憶手段と、前記クライアント端末より次の投影画像を投影するための指示を受信する投影指示受信手段とを備え、前記画像投影手段は、前記投影指示受信手段で指示を受けた前記投影画像記憶手段で記憶している前記投影画像を投影することを特徴とする。
【発明の効果】
【０００９】
本発明によれば、プロジェクタ装置を用いて複数のクライアント端末が投影する順番通りにスムーズに投影権の切り替えができる仕組みを提供することが可能になる。
【００１０】
具体的には、プロジェクタ装置を用いて複数のクライアント端末から連続で画像を投影する場合に、送信された画像を適切な順番でスムーズに表示することが可能になる。また、複数端末を同時にプロジェクタ装置と接続して画像を投影する場合に、複数のクライアント端末に対し、どのように投影権が移行するかを予めシナリオとして読み込ませ、順番が近づいたらシナリオに設定された次の投影者にプロジェクタが画像を要求しにいく方法、もしくは現在の投影者が次の投影者を指定し、プロジェクタに画面を要求させにいく方法でスムーズな投影権制御実現することができる。
【図面の簡単な説明】
【００１１】
【図１】本発明プロジェクタ装置とクライアント端末とからなるシステム構成図である。
【図２】図１に示したクライアント端末１００に適用可能な情報処理装置のハードウェア構成の一例を示すブロック図である。
【図３】図１に示したプロジェクタ装置２００のハードウェア構成の一例を示すブロック図である。
【図４】本発明の実施形態におけるシナリオ読み込みを使用する場合の画像投影の準備制御処理を示すフローチャートである。
【図５】本発明の実施形態におけるシナリオデータ読み込みおよび、画像投影権制御方法を示すフローチャートである。
【図６】本発明の実施形態におけるシナリオ読み込みを使用しない場合の画像投影の準備処理を示すフローチャートである。
【図７】本発明の実施形態におけるシナリオ読み込みを使用しない場合の画像投影権の制御処理を示すフローチャートである。
【図８】本発明の実施形態におけるシナリオ読み込みを使用する場合のＵＩ画面である。
【図９】本発明の実施形態におけるシナリオ読み込みを使用しない場合のＵＩ画面である。
【図１０】本発明の実施形態において投影装置で記憶するシナリオデータの構成例である。
【発明を実施するための形態】
【００１２】
以下、図面を参照して、本発明の実施形態を詳細に説明する。図１は、本発明のプロジェクタ装置とクライアント端末を用いた投影システムのシステム構成図である。
【００１３】
図１は、１又は複数のクライアント端末１００、プロジェクタ装置２００がローカルエリアネットワーク（ＬＡＮ）を介して接続される構成となっている。また、本願でクライアント端末１００とプロジェクタ装置２００とは、それぞれ無線ＬＡＮ通信が可能な端末であることを前提としている。
【００１４】
クライアント端末１００は、プロジェクタ装置２００に対して、投影画像となる文書ファイルや、ブラウザ画面などを送信する。
【００１５】
プロジェクタ装置２００は、クライアント端末１００から送信される投影画像となる文書ファイルや、ブラウザ画面などを受信部で受信し、投影部において受信した文書ファイルの重要度合いなどのパラメータを考慮のうえ、分割投影方法の決定を行う。
【００１６】
次に図２を用いて、クライアント端末１００に適用可能な情報処理装置のハードウェア構成について説明する。
【００１７】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１８】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１９】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２０】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２１】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２２】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２４】
次に、図３を用いて、本発明の情報処理装置としてのプロジェクタ装置２００を制御するコントローラユニットのハードウェア構成について説明する。
【００２５】
無線プロジェクタ１は、無線ＬＡＮアダプタ５との無線通信を行う無線ＬＡＮインターフェイス（Ｉ／Ｆ）３０１と、無線ＬＡＮ  Ｉ／Ｆ３０１で受け取ったＴＣＰ／ＩＰデータから画像を生成する画像生成部３０２と、画像を表示する液晶パネル３０３と、光源３０４と、光源３０４の光が液晶パネル３０３で変調された画像を拡大・投射する投射レンズ３０５とで構成されている。
【００２６】
次に、次に、図４〜図７を用いて、本発明の実施形態における一連の処理について説明をする。まず、図４乃至７は、本発明の実施形態におけるプロジェクタ装置２００による画像投影の処理を表すシーケンス図である。図４乃至７で示す処理は、プロジェクタ装置２００の電源が入り、画像の取得、投影が可能な状態となった時に、以下の処理を実行するものである。
【００２７】
図４は、本発明の実施形態におけるシナリオ読み込みを使用する場合の画像投影の準備処理を示すフローチャートである。まず図４のＳ４０１においてクライアント端末はプロジェクタ受信部との通信を開始する。具体的には、クライアント端末に備えているプロジェクタのドライバを起動することにより通信を開始する。この時に、クライアント端末は、端末を一意に識別する番号（例えば、МＡＣアドレス）を送信する。
【００２８】
Ｓ４０２において、プロジェクタ装置のＣＰＵは、クライアント端末から送信され端末識別番号を記憶し、プロジェクタ装置内で発行する端末ＩＤと紐付けて記憶する。
Ｓ４０３において、プロジェクタ装置２００のＣＰＵは、発行した端末ＩＤをクライアント端末に送信する。
Ｓ４０４において、クライアント端末１００のＣＰＵ２０１は、プロジェクタ装置２００で付与された端末ＩＤを受信し記憶する。
【００２９】
Ｓ４０１〜Ｓ４０４の処理では、プロジェクタ装置２００の受信部は通信してきた（プロジェクタドライバを起動した）クライアント端末に一意のＩＤを付与し、複数のクライアント端末がある場合に、それぞれの端末を識別できるようにする。複数のクライアント端末をプロジェクタ装置に認識させる場合は、認識させるすべてのクライアント端末をプロジェクタ装置と接続させる必要がある。
【００３０】
Ｓ４０５において、クライアント端末１００のＣＰＵ２０１は、発表のシナリオをプロジェクタ装置に送信する。発表のシナリオはクライアント端末１００にインストールプロジェクタ装置２００へ投影画像を送信するためのプロジェクタドライバを起動し、生成したプレゼンテーションシナリオをプロジェクタ装置２００に対して送信する。また、この時にプレゼンテーションシナリオをプロジェクタ装置２００に送信したクライアント端末１００が、プレゼンテーションのオーナーとなる。
【００３１】
Ｓ４０６において、プロジェクタ装置２００の受信部は、クライアント端末１００から送信されるプレゼンテーションのシナリオを受信し、記憶する。Ｓ４０７において、プロジェクタ装置の受信部はＳ４０６において記憶したシナリオと、シナリオを送信したクライアント端末の端末ＩＤを紐づけて、プレゼンテーションオーナーとして記憶する。
【００３２】
Ｓ４０８において、プロジェクタ装置２００の受信部は記憶したシナリオを解析する。プロジェクタ装置２００のＣＰＵは、シナリオを解析することにより、１枚のスライドごとに、プレゼンテーションに参加するどのユーザ（クライアント端末１００）が、どの投影画像を保持しているかの情報を取得する。そして、プレゼンテーションのどのタイミングでどのクライアント端末へ投影画像の要求を実行するかを判断する。
【００３３】
Ｓ４０９において、プロジェクタ装置２００の受信部はプレゼンテーションをスタートさせるべく、最初に発表する（１枚目のスライドの投影担当である）クライアント端末１００に対して投影画像の取得要求を送信する。この時に送信する要求信号としては、クライアント端末の端末ＩＤと、投影予定の投影画像のＩＤとを送信する。投影画像のＩＤは、先述のＳ４０５でクライアント端末１００より送信されるプレゼンテーションシナリオを解析することにより、プロジェクタ装置２００内で保持している。
【００３４】
この時の通信方法としては、シナリオを解析することによって得た端末ＩＤに紐付くクライアント端末１００に対してのみ要求信号を送信する方法がある。また、無線ＬＡＮ環境にいる全てのクライアント端末１００に対して要求信号を送信し、クライアント端末１００が自端末ＩＤに対する要求信号が送信されている、と判定した時に、クライアント端末１００が要求信号を受信する方法がある。
【００３５】
Ｓ４１０において、クライアント端末１００のＣＰＵ２０１は、プロジェクタ装置２００の受信部から画像の取得要求を受信すると、要求信号を解析し、Ｓ４１１において、要求されている投影する画像を送信する。
【００３６】
Ｓ４１２において、プロジェクタ装置２００の受信部は、クライアント端末１００から送信された投影画像を受信し、プロジェクタ装置２００の受信部はプロジェクタ装置２００の投影部へ投影画像を送信する（Ｓ４１３）。Ｓ４１４において、プロジェクタ装置２００の投影部は、プロジェクタ装置２００の受信部から送信された投影画像を受信すると、Ｓ４１５において受信した投影画像を投影する。
【００３７】
次に図５を用いて、本発明の実施形態における投影中処理中のシナリオ解析方法及び、画像投影権制御方法を説明する。
【００３８】
図５のＳ５０１において、プロジェクタ装置２００の受信部は、現在投影している画像と、内部で記憶しているプレゼンテーションシナリオを解析（図１０）し、次に投影予定の資料と、その資料を保持しているクライアント端末の情報を得る。具体的には、プロジェクタ装置２００のメモリでは、現在投影中の資料の番号を保持しており、例えば１枚目のスライドを投影している場合には、メモリに「１」の値が記憶される。そして、次のスライドである「２」の資料を保持しているクライアント端末１００の端末ＩＤを取得する。
【００３９】
Ｓ５０２において、プロジェクタ受信部はＳ５０１で取得した次の投影画像の番号と資料を保持しているクライアント端末１００に対して投影画像の取得要求を送信する。Ｓ５０３において、クライアント端末１００のＣＰＵ２０１はプロジェクタ装置２００の受信部からの投影画像の取得要求を受信する。
【００４０】
この時の通信方法も、Ｓ４０９と同様にシナリオを解析することによって得た端末ＩＤに紐付くクライアント端末１００に対してのみ要求信号を送信する方法がある。また、無線ＬＡＮ環境にいる全てのクライアント端末１００に対して要求信号を送信し、クライアント端末１００が自端末ＩＤに対する要求信号が送信されている、と判定した時に、クライアント端末１００が要求信号を受信する方法がある。
【００４１】
Ｓ５０４において、シナリオの設定により次の投影画像を送信する担当となっているクライアント端末１００は、要求されている資料名に基づいて、次の投影画像をプロジェクタ受信部へ送信する。
【００４２】
Ｓ５０５において、プロジェクタ装置２００の受信部は、シナリオ解析によって判明した次の投影画像を保持しているクライアント端末１００から送信された次の投影画像を受信する。
【００４３】
Ｓ５０６において、プロジェクタ装置２００の受信部はＳ５０５で取得した次に投影する画像をプロジェクタ装置２００のメモリに記憶し、Ｓ５０７において、次の投影画像への切り替え待ち状態となる。
【００４４】
Ｓ５０８において、クライアント端末１００のＣＰＵ２０１は、プロジェクタ装置２００の受信部へ次の投影画像への切り替え要求を送信する。このときのクライアント端末１００は、現在プロジェクタ装置２００の投影部から投影している画像を送信したクライアント端末１００を指している。
【００４５】
Ｓ５０９において、プロジェクタ装置２００の受信部は現在投影している画像を送信したクライアント端末から次の画像への切り替え要求を受信すると、Ｓ５１０において、プロジェクタ装置２００の投影部に対してＳ５０６で記憶した次の投影画像を送信する。
【００４６】
Ｓ５１１において、プロジェクタ装置２００の投影部は、プロジェクタ装置２００の受信部から送信された投影画像を受信すると、Ｓ５１２において、画像を投影する。
【００４７】
図５の処理によれば、プロジェクタ装置２００が予めプレゼンテーションのシナリオを記憶しておくことにより、画像を投影している段階から次の画像を投影するための準備を行うことが可能になり、前の画像を送信したクライアント端末から、画像の切替要求（プレゼンテーションを先に進めるための要求）を受け付けた場合であっても、スムーズにプレゼンテーションを進めることが可能になる。
【００４８】
図６は、本発明の実施形態におけるシナリオ読み込みを使用しない場合の画像投影の準備処理を示すフローチャートである。
【００４９】
まずＳ６０１においてクライアント端末１００のＣＰＵ２０１は、プロジェクタ装置２００（受信部）との通信を開始する。具体的には、クライアント端末１００に備えているプロジェクタ装置２００のドライバを起動することにより通信を開始する。この時に、クライアント端末は、端末を一意に識別する番号（例えば、ＭＡＣアドレス）を送信する。
【００５０】
Ｓ６０２において、プロジェクタ装置２００の受信部はクライアント端末１００から送信され端末識別番号を記憶し、プロジェクタ装置内で発行する端末ＩＤと紐付けて記憶する。Ｓ６０３において、発行した端末ＩＤをクライアント端末１００に送信する。
【００５１】
ここでは、全てのクライアント端末１００に対し発行したＩＤ一覧が確認出来るリスト情報を送信する。これにより、各クライアント端末は、プロジェクタ装置に登録されたクライアントのリストを確認することが出来、自身が画像投影した後に、どのクライアント端末に画像投影権を渡すかを選択することが出来るようになる。
【００５２】
Ｓ６０４において、クライアント端末１００はプロジェクタ装置で付与された端末ＩＤを受信し記憶する。
【００５３】
Ｓ６０１〜Ｓ６０４の処理では、プロジェクタ装置の受信部は通信してきた（プロジェクタドライバを起動した）クライアント端末に一意のＩＤを付与し、複数のクライアント端末がある場合に、それぞれの端末を識別できるようにする。複数のクライアント端末をプロジェクタ装置に認識させる場合は、認識させるすべてのクライアント端末をプロジェクタ装置と接続させる必要がある。また、クライアント端末からも、プロジェクタが識別可能な他のクライアントの情報一覧を確認出来るようにする必要がある。
【００５４】
Ｓ６０５において、最初に画像を投影するクライアント端末１００のＣＰＵ２０１は、プロジェクタ装置２００に対し、画像投影権を要求すると、Ｓ６０６において、プロジェクタ装置２００の受信部は、クライアント端末１００から送信される画像投影権の要求を受信する。
【００５５】
Ｓ６０７において、プロジェクタ装置２００の受信部は、先程画像投影権を要求してきた最初に発表するクライアント端末１００に対して投影画像の取得要求を送信する。
【００５６】
Ｓ６０８において、クライアント端末１００のＣＰＵ２０１は、プロジェクタ装置２００の受信部から送信される投影画像の取得要求を受信すると、Ｓ６０９において、クライアント端末はプロジェクタ受信部へ投影する画像を送信する。
【００５７】
Ｓ６１０において、プロジェクタ装置２００の受信部はクライアント端末１００から送信された投影画像を受信すると、Ｓ６１１において、プロジェクタ投影部に対して投影画像を送信する。
【００５８】
Ｓ６１２において、プロジェクタ装置２００の投影部は、プロジェクタ装置２００の受信部から送信された投影画像を受信すると、Ｓ６１３において、画像を投影する。
【００５９】
次に、図７を用いて、シナリオ読み込みを使用しない場合の画像投影権の制御処理を説明する。図７のＳ７０１において、現在画像を投影しているクライアント端末１００は、プロジェクタ装置２００に対して次の画像投影を行うクライアント端末の情報を送信する。
【００６０】
Ｓ７０２において、プロジェクタ装置２００の受信部は、次の画像投影を行うクライアント端末の情報を受信する。
【００６１】
Ｓ７０３において、プロジェクタ装置２００の受信部は、Ｓ７０２において、プロジェクタ受信部はＳ５０１で取得した次の画像を送信予定のクライアント端末に画像の取得要求を送信する。
【００６２】
Ｓ７０４において、クライアント端末１００のＣＰＵ２０１は、プロジェクタ装置２００の受信部から送信された次の投影画像の取得要求を受信すると、Ｓ７０５において、次の投影画像をプロジェクタ装置２００の受信部に対して送信する。
【００６３】
Ｓ７０６において、プロジェクタ装置２００の受信部は、クライアント端末１００から送信された次の投影画像を受信すると、Ｓ７０７において、次の投影画像をプロジェクタ装置２００メモリに記憶し、Ｓ７０８において切り替え待ち状態となる。
【００６４】
Ｓ７０９において、クライアント端末１００のＣＰＵ２０１は、プロジェクタ装置２００の受信部へ次の画像への切り替え要求を送信する。このときのクライアント端末１００は、現在プロジェクタ装置２００の投影部から投影している画像を送信したクライアント端末１００を指している。
【００６５】
Ｓ７１０において、プロジェクタ装置２００の受信部は、クライアント端末１００から次の投影画像への切り替え要求を受信すると、Ｓ７１１において、メモリに保持していた次の投影画像を、投影部に対して送信する。
【００６６】
Ｓ７１２において、プロジェクタ装置２００の投影部は、受信部から送信された投影画像を受信すると、Ｓ７１３において、画像を投影する。
【００６７】
次に、図８を用いて、シナリオ読み込みを使用する場合の複数端末投影順制御の操作方法について説明する。図８はシナリオ読み込みを使用する場合の複数端末投影順制御でのクライアント端末で表示する投影画像の選択を行う画面である。
【００６８】
８０１はプロジェクタ装置で投影するために選択されている画像である。８０２に選択可能な画像や資料が一覧で表示されており、そのうちの所望の画像や資料へのクリックを受け付けると、８０１に画像が表示される。８０３は８０２で選択している画像の１つ次、１つ前、最後、最初の画像を選択するためのアイコンである。
【００６９】
次に、図９を用いて、シナリオ読み込みを使用しない場合の複数端末投影順制御の操作方法について説明する。図８はシナリオ読み込みを使用しない場合の複数端末投影順制御でのクライアント端末で表示する投影画像の選択を行う画面である。
【００７０】
９０１はプロジェクタ装置で投影するために選択されている画像である。９０２に選択可能な画像や資料が一覧で表示されており、そのうちの所望の画像や資料へのクリックを受け付けると、９０１に画像が表示される。
【００７１】
９０３は９０１で選択している画像の１つ次、１つ前、最後、最初の画像を選択するためのアイコンである。
【００７２】
９０４は次の発表者を設定する選択項目である。次の発表者は発表者の名前の左側のアイコンを選択することで指定する。９０５は次の発表者に画像表示権を移すためのアイコンである。
【００７３】
なお本願発明の実施形態で、プロジェクタ装置２００とクライアント端末１００との接続方法は、無線ＬＡＮを用いた接続で説明したが、通信方法はこれに限るものではなく、例えばＢｌｕｅｔｏｏｔｈ（登録商標）を用いて複数端末を接続してもよい。
【００７４】
以上の本発明によれば、プロジェクタ装置を用いて複数のクライアント端末が投影する順番通りにスムーズに投影権の切り替えができる仕組みを提供することが可能になる。
【００７５】
即ち、本発明は、投影画像を投影装置に送信するクライアント端末と接続可能な投影装置において、前記クライアント端末より送信されるプレゼンテーションのシナリオを記憶するシナリオ記憶手段と、前記投影画像を前記クライアント端末より受信する投影画像受信手段と、前記投影画像受信手段で受信した前記投影画像を表示する画像投影手段と、前記画像投影手段で投影している前記投影画像のシナリオ内での順序を記憶する投影順序記憶手段と、前記シナリオ記憶手段で記憶している前記シナリオに基づいて、前記投影画像記憶手段で記憶している前記投影中の画像の次に投影する画像を取得するべく、前記クライアント端末に対して画像を要求する画像要求手段と、前記投影画像受信手段で、前記画像要求手段で要求した前記画像を受信した場合に、当該要求の結果受信した画像を記憶部に記憶する投影画像記憶手段と、前記クライアント端末より次の投影画像を投影するための指示を受信する投影指示受信手段とを備え、前記画像投影手段は、前記投影指示受信手段で指示を受けた前記投影画像記憶手段で記憶している前記投影画像を投影することを特徴とする。
【００７６】
以上、実施形態、具体例を主に詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００７７】
本発明におけるプログラムは、図４乃至７に示すフローチャートの処理に従って情報処理装置としてのコンピュータが実行可能なプログラムであり、本発明の記憶媒体は図４乃至７の処理方法を実行可能なプログラムを記憶されている。なお、本発明におけるプログラムは各装置の処理方法ごと、別の独立したプログラムであってもよい。
【００７８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００７９】
この場合、記録媒体から読み出されたプログラム自体が本発明の新規な機能を実現することになり、そのプログラムを記憶した記録媒体は本発明を構成することになる。
【００８０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【００８１】
また、情報処理装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【００８５】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【００８６】
１００  クライアント端末
２００  プロジェクタ装置
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  入力装置（キーボード）
２１０  ディスプレイ（ＣＲＴ）
２１１  外部メモリ（ＨＤＤ、ＦＤ）
３０１  無線ＬＡＮ  Ｉ／Ｆ
３０２  画像生成部
３０３  液晶パネル
３０４  光源
３０５  投射レンズ
【図１】
2013137478.tif 000003
【図２】
2013137478.tif 000004
【図３】
2013137478.tif 000005
【図４】
2013137478.tif 000006
【図５】
2013137478.tif 000007
【図６】
2013137478.tif 000008
【図７】
2013137478.tif 000009
【図８】
2013137478.tif 000010
【図９】
2013137478.tif 000011
【図１０】
2013137478.tif 000012